(57)【要約】【課題】シリンダー錠用の正規の鍵を模した合鍵を使って行なわれる不正行為を未然に防止するようにした遊技機を提供する。【解決手段】前面枠１７の開放側に鍵穴６２が前側を向くシリンダー錠６１を設け、シリンダー錠６１の後側の錠軸６４に設けられたカム部材６５を前面枠１７の後面と平行な面内で回動させることにより該カム部材６５とその一側で係合する可動部材６６を介して遊技盤取付枠２又は前面枠１７が開錠できるようにし、電気的駆動手段８６によりシリンダー錠６１が前後方向に自在に摺動するようにし、シリンダー錠６１が後端位置にあるときカム部材６５と可動部材６６との係合が前後方向で外れており、シリンダー錠６１が前端位置にあるときはカム部材６５と可動部材６６とが係合するようになっている。【選択図】図８
2010227301.tif 000002
【特許請求の範囲】
【請求項１】
機枠と該機枠の前面一側に軸着される遊技盤取付枠と該遊技盤取付枠の前面であって該遊技盤取付枠の軸着部と同じ側に軸着される前面枠とを備え、前記前面枠の開放側に鍵穴が前側を向くシリンダー錠を設け、前記シリンダー錠の後側の錠軸に設けられたカム部材を前記前面枠の後面と平行な面内で回動させることにより該カム部材とその一側で係合する可動部材を介して前記遊技盤取付枠又は前面枠が開錠できるようにした遊技機であって、
前記シリンダー錠を前後端面が開放する錠箱内に挿通すると共に電気的駆動手段により該シリンダー錠が前後方向に自在に摺動するようにし、
前記シリンダー錠が後端位置にあるとき前記カム部材と前記可動部材との係合が前後方向で外れており、前記シリンダー錠が前端位置にあるときは前記カム部材と前記可動部材とが対向位置して係合するようになっていることを特徴とする遊技機。
【請求項２】
前記シリンダー錠の前面に、その前面に沿って回動し前記シリンダー錠が後端位置に停止しているときその回動動作が前記錠箱の内周面により規制されて前記鍵穴の有るシリンダー錠の前面を覆いかつ該シリンダー錠が前端位置に停止しているとき自由に回動できるようになって該鍵穴を開ける閉塞板を軸着した請求項１記載の遊技機。
【請求項３】
前記錠箱の前面に前後方向に回動する閉塞板を軸着し、前記錠箱の一側壁であって前記閉塞板の自由端側に前後方向に沿って弾性係止片を配置し、前記弾性係止片の自由な前端部に前記閉塞板の自由端面に凹設された係合溝に嵌る係合凸部を突設すると共に該係合凸部よりも後端側に作動凸部を突設し、前記シリンダー錠が錠箱の後端位置に停止しているとき前記係合溝に係合凸部が係合して該シリンダー錠の前面が閉塞板により覆われ、前記シリンダー錠が前記錠箱の前方へ摺動するとき該シリンダー錠により前記作動凸部を押して前記弾性係止片をその弾性に抗して前記錠箱の外側へ撓ませ前記係合溝と前記係合凸部との係合を外して前記閉塞板が自由に回動できるようにした請求項１記載の遊技機。
【請求項４】
前記錠箱の前面に電気的駆動手段により前記シリンダー錠の中心軸線に対し直交する面内で摺動する閉塞板を配置し、前記閉塞板は前記シリンダー錠が後端位置に停止しているとき前記鍵穴の有る前記シリンダー錠の前面を覆い、かつ、前記シリンダー錠が前方へ摺動するのに伴い前記閉塞板が同調してシリンダー錠の前面が開くように摺動する請求項１記載の遊技機。
【発明の詳細な説明】
【技術分野】
【０００１】
本発明は、遊技盤取付枠の前面に軸着された前面枠がシリンダー錠に鍵を差し込んで操作することにより開閉できるようにした遊技機に関するものである。
【背景技術】
【０００２】
従来、遊技機にはその代表的なものとしてパチンコ遊技機がある。該パチンコ遊技機は、長方形状の機枠と、該機枠の前面一側に開閉自在に軸着され遊技盤が配置固定される遊技盤取付枠と、遊技盤取付枠の前面であって該遊技盤取付枠の軸着部と同じ側に開閉自在に軸着され遊技盤の前面を覆う前面枠と、を備えている。更に詳しく説明すると、前記遊技盤取付枠の開放側には施錠装置が設けられ、該施錠装置に鍵穴が前側を向くと共に錠軸の後端部にカム部材が固着されたシリンダー錠が設けられている。該カム部材は、錠軸と共に前面枠の後面と平行な面内で回動するようになっている。一方、遊技盤取付枠の施錠装置には、前記カム部材の一側に該カム部材の回動動作と共に該カム部材と係合し遊技盤取付枠又は前面枠を開錠するための可動部材が配置されている。そこで、シリンダー錠の鍵穴に前側から鍵を差し込んで操作し、その錠軸と共にその後端部に設けられたカム部材を時計回り方向又は反時計回り方向に回動させることにより、機枠に対して遊技盤取付枠が開錠されて前側へ開き又は遊技盤取付枠に対し前面枠が開錠されて開くようになっている（例えば、特許文献１参照。）。
【先行技術文献】
【特許文献】
【０００３】
【特許文献１】特開２００８−６１７０１号公報（第４−９頁、図１１、図１２）
【発明の概要】
【発明が解決しようとする課題】
【０００４】
前記特許文献１に係るパチンコ遊技機にあっては、遊技盤取付枠又は前面枠を開放するに正規の鍵が使用されるが、仮に該正規の鍵を模した合鍵を製作すれば、該合鍵を用いて遊技盤取付枠又は前面枠を勝手に開放して不正行為が行なわれるという許し難い事態が生ずることになる。
【０００５】
そこで、本発明は上記課題を解決すべくなされたもので、シリンダー錠用の正規の鍵を模した合鍵を使って行なわれる不正行為を未然に防止するようにした遊技機を提供することを目的とするものである。
【課題を解決するための手段】
【０００６】
機枠と該機枠の前面一側に軸着される遊技盤取付枠と該遊技盤取付枠の前面であって該遊技盤取付枠の軸着部と同じ側に軸着される前面枠とを備え、前記前面枠の開放側に鍵穴が前側を向くシリンダー錠を設け、前記シリンダー錠の後側の錠軸に設けられたカム部材を前記前面枠の後面と平行な面内で回動させることにより該カム部材とその一側で係合する可動部材を介して前記遊技盤取付枠又は前面枠が開錠できるようにした遊技機であって、
前記シリンダー錠を前後端面が開放する錠箱内に挿通すると共に電気的駆動手段により該シリンダー錠が前後方向に自在に摺動するようにし、
前記シリンダー錠が後端位置にあるとき前記カム部材と前記可動部材との係合が前後方向で外れており、前記シリンダー錠が前端位置にあるときは前記カム部材と前記可動部材とが対向位置して係合するようになっていることを特徴とする遊技機。
【０００７】
この際、前記シリンダー錠の前面に、その前面に沿って回動し前記シリンダー錠が後端位置に停止しているときその回動動作が前記錠箱の内周面により規制されて前記鍵穴の有るシリンダー錠の前面を覆いかつ該シリンダー錠が前端位置に停止しているとき自由に回動できるようになって該鍵穴を開ける閉塞板を軸着することが好ましい。
【０００８】
または、前記錠箱の前面に前後方向に回動する閉塞板を軸着し、前記錠箱の一側壁であって前記閉塞板の自由端側に前後方向に沿って弾性係止片を配置し、前記弾性係止片の自由な前端部に前記閉塞板の自由端面に凹設された係合溝に嵌る係合凸部を突設すると共に該係合凸部よりも後端側に作動凸部を突設し、前記シリンダー錠が錠箱の後端位置に停止しているとき前記係合溝に係合凸部が係合して該シリンダー錠の前面が閉塞板により覆われ、前記シリンダー錠が前記錠箱の前方へ摺動するとき該シリンダー錠により前記作動凸部を押して前記弾性係止片をその弾性に抗して前記錠箱の外側へ撓ませ前記係合溝と前記係合凸部との係合を外して前記閉塞板が自由に回動できるようにすることが好ましい。
【０００９】
更に、前記錠箱の前面に電気的駆動手段により前記シリンダー錠の中心軸線に対し直交する面内で摺動する閉塞板を配置し、前記閉塞板は前記シリンダー錠が後端位置に停止しているとき前記鍵穴の有る前記シリンダー錠の前面を覆い、かつ、前記シリンダー錠が前方へ摺動するのに伴い前記閉塞板が同調してシリンダー錠の前面が開くように摺動することが好ましい。
【発明の効果】
【００１０】
本発明に係る遊技機は、前面枠におけるシリンダー錠の錠軸の後側に設けられたカム部材を前面枠の後面と平行な面内で回動させることにより、該カム部材とその一側で係合する可動部材を介して遊技盤取付枠又は前面枠が開錠できるようにし、しかも、電気的駆動手段によりシリンダー錠が錠箱内を前後方向に自在に摺動するようにした。これにより、前記シリンダー錠が後端位置に停止しているときカム部材と可動部材との係合が前後方向で外れており、シリンダー錠が前端位置に停止しているときはカム部材と可動部材とが係合するようになっているので、前面枠を閉めた状態でシリンダー錠を後端位置に停止させておけば、たとえシリンダー錠の鍵穴に正規の鍵を模した合鍵を差し込んで前面枠を開けようとしても、錠軸のカム片は空転するのみで前面枠を開錠させ開放することは不可能となる。よって、正規の鍵を模した合鍵による不正行為が未然に防止されるという効果が有る。
【００１１】
また、シリンダー錠が後端位置に停止したとき鍵穴を有するシリンダー錠の前面または錠箱の前端面を覆う開閉不能な閉塞板を設けるようにすれば、前記合鍵を鍵穴にすら差し込むことができなくなるので、該合鍵による不正行為の防止効果が更に向上する。
【図面の簡単な説明】
【００１２】
【図１】本発明に係るパチンコ遊技機の斜視図。
【図２】同前面枠と遊技盤取付枠を開いた状態の斜視図。
【図３】遊技盤取付枠の施錠装置の斜視図。
【図４】同分解斜視図。
【図５】前面枠の下部の背面図。
【図６】パチンコ遊技機の一部拡大平面断面図。
【図７】鍵を操作したときの施錠装置の作用を示すパチンコ遊技機の一部拡大側面断面図。
【図８】（イ）（ロ）は前端位置にあるシリンダー錠部位の前側・後側から見た斜視図。
【図９】（イ）（ロ）は同後端位置にあるシリンダー錠部位の前側・後側から見た斜視図。
【図１０】（イ）（ロ）は閉塞板を用いた前端位置にあるシリンダー錠部位の前側・後側から見た斜視図。
【図１１】（イ）（ロ）は同後端位置にあるシリンダー錠部位の前側・後側から見た斜視図。
【図１２】（イ）（ロ）は他の閉塞板を用いた後端位置にあるシリンダー錠部位の前側・後側から見た斜視図、（ハ）は図１２（イ）における側面断面図。
【図１３】（イ）（ロ）は同前端位置にあるシリンダー錠部位の前側・後側から見た斜視図。
【図１４】（イ）（ロ）は他の閉塞板を用いた後端位置にあるシリンダー錠部位の前側・後側から見た斜視図。
【図１５】図１４（イ）の一部拡大平面斜視図。
【図１６】（イ）（ロ）は同前端位置にあるシリンダー錠部位の前側・後側から見た斜視図、
【発明を実施するための形態】
【００１３】
以下、本発明に係る遊技機の最良の実施の形態を図面に基づき詳しく説明する。本発明は、パチンコ遊技機、アレンジボール遊技機、雀球遊技機、パチスロ機等の遊技機に適用できるが、このうち、パチンコ遊技機に適用される場合について説明する。図１は本発明に係るパチンコ遊技機の斜視図である。パチンコ遊技機Ｐは縦長長方形状の金属製の機枠１を有し、該機枠１の前面に一側を軸着され自在に開閉する遊技盤取付枠２が配設される。該遊技盤取付枠２には、その前側から遊技盤４が着脱自在に配置される。また、遊技盤４の下方であって遊技盤取付枠２の前面に打球発射機構（図示せず。）が設けられる。
【００１４】
前記遊技盤４の前面に、渦巻き状に敷設された内・外側ガイドレール６ａ，６ｂにより囲われるようにして遊技部４ａが形成される。該遊技部４ａには、中央上部に文字、数字等の図柄を変動表示する電子ディスプレー７を備えた大型の変動表示装置８が装着される。また、その下方に、第一・第二始動入賞口９ａ，９ｂがそれぞれ上下に位置して配設される。第一始動入賞口９ａは、遊技部４ａに打ち込まれた遊技球であるパチンコ球が入賞することにより該パチンコ球を電気的に検出する。第二始動入賞口９ｂは左右に起立または逆ハの字状に傾動する一対の開閉翼１０，１０を有し、同じく遊技部４ａに打ち込まれた遊技球が、変動表示装置８の一側に配置される通過チャッカー１１を通過して検出されかつその検出によって発生するくじに当たると、一対の開閉翼１０，１０が短い時間１回開くようになっている。そして、その間に遊技球としてのパチンコ球が入賞すると、該パチンコ球を電気的に検出する。これら第一・第二始動入賞口９ａ，９ｂに入賞したパチンコ球が電気的に検出されると、前記電子ディスプレー７の図柄が変動を開始する。
【００１５】
前記第一・第二始動入賞口９ａ，９ｂの下方に、開閉扉１２ａが前側へ傾動して一度に多くの入賞球を発生させる大型の大入賞口１２が配設される。なお、前記第一・第二始動入賞口９ａ，９ｂに入賞して検出されかつその検出によって発生するくじに当たると、前記電子ディスプレー７に特定の当り図柄が表示されて大当りが発生し、前記開閉扉１２ａが所定時間（例えば約３０秒または大入賞口１２が１０個の入賞球を検出するまで）開放し、これが連続して所定回数（例えば１５回）繰り返される。遊技部４ａの下部であって第一・第二始動入賞口９ａ，９ｂの両側に、普通入賞口１３，１３が設けられている。１４は内側ガイドレール６ａの中央下部に設けられ、遊技部４ａに打ち込まれるも入賞球となり得なかったパチンコ球をパチンコ遊技機Ｐの外部へ排出するためのアウト球口である。
【００１６】
遊技盤取付枠２の前面に、遊技盤４の遊技部４ａが臨む透窓１６が開設された前面枠１７が配設される。該前面枠１７は、遊技盤取付枠２の前面一側に軸着され自在に開閉するようになっている。また、該前面枠１７はその横幅が遊技盤取付枠２の横幅と同じ寸法を有し、透窓１６にはガラス板または合成樹脂板からなる透明板１８が装着される。また、前面枠１７の下部に、賞球又は貸し球としてのパチンコ球を貯留し前記打球発射機構の発射部へ供給するための球受皿１９が装着されている。その一側で前面枠１７の前面に、打球発射機構から発射されるパチンコ球の打球力を調整するための打球力調整ハンドル２０が設けられる。
【００１７】
次に、施錠装置について説明する。図２に示すように遊技盤取付枠２における開放側の外側面に遊技盤取付枠の施錠装置２１が組み付けられ、前面枠１７の開放側の後面に前面枠の施錠装置２２が組み付けられている。これら施錠装置２１，２２は金属製であって、前後方向で互いにほぼ対向位置することになる。また、機枠１における開放側の側板１ａ内面に、その上下部に位置して側面コ字型の掛止片１５，１５が一体にかつ水平に突設されている。これは、遊技盤取付枠の施錠装置２１における後記する後向係止片４３，４７を掛け止めさせるためのものである。
【００１８】
図３、図４に示すように遊技盤取付枠の施錠装置２１は、遊技盤取付枠２における開放側の外側面に固着される平断面角筒状の上下に長い鉛直固定枠２３と、該鉛直固定枠２３内に収納され前面枠１７に施錠する一対の上・下部前面枠施錠杆２４ａ，２４ｂと、同じく鉛直固定枠２３内に収納され機枠１に施錠する一対の上・下部取付枠施錠杆２５ａ，２５ｂと、同じく鉛直固定枠２３内に収納されこれら上・下部前面枠施錠杆２４ａ，２４ｂと上・下部取付枠施錠杆２５ａ，２５ｂをそれぞれ動作させる作動杆２６と、同じく鉛直固定枠２３内に収納され上・下部前面枠施錠杆２４ａ，２４ｂと上・下部取付枠施錠杆２５ａ，２５ｂを手動で作動させる手操作杆２７と、からなる。なお、鉛直固定枠２３は、更に内側の内枠カバー２３ａと外側の外枠カバー２３ｂとの二部材により形成される。そして、外枠カバー２３ｂ側から上・下部前面枠施錠杆２４ａ，２４ｂ、作動杆２６、上・下部取付枠施錠杆２５ａ，２５ｂ、手操作杆２７の順で配置される。
【００１９】
上部前面枠施錠杆２４ａは、前端縁の上・下部に前方へ水平に突設され先端に下側を向く鉤状の前向係止片２８，２８が設けられ、上・下部に縦長孔２９ａ，２９ｂが開設されると共に両縦長孔２９ａ，２９ｂにそれぞれ内・外枠カバー２３ａ，２３ｂ間に差し渡された水平な一対の上部ガイドピン３０ａ，３０ｂが挿通され、これら上部ガイドピン３０ａ，３０ｂに沿って上下動するようになっている。また、中寄り位置にバネ通孔３１が開設され、下端部に掛止孔３２が開設されている。下部前面枠施錠杆２４ｂは、前端縁の下部のみに前方へ水平に突設され先端に下側を向く前向係止片３３が設けられ、上下端部に縦長孔３４ａ，３４ｂが開設されると共に両縦長孔３４ａ，３４ｂにそれぞれ内・外枠カバー２３ａ，２３ｂ間に差し渡された水平な一対の下部ガイドピン３５ａ，３５ｂが挿通され、これら下部ガイドピン３５ａ，３５ｂに沿って上下動する。また、同じく中寄りの上下位置に掛止孔３６とバネ通孔３７が開設されている。
【００２０】
作動杆２６には、前端縁における中央より少し下位置に前方へ水平に突出する係合突起３８が設けられる。また、作動杆２６の上端と下端から少し中央より位置にそれぞれ内枠カバー２３ａ側へ突出する内曲片３９ａ，３９ｂが設けられ、作動杆２６の下端と上端から少し中央より位置にそれぞれ外枠カバー２３ｂ側へ突出する外曲片４０ａ，４０ｂが設けられている。両内曲片３９ａ，３９ｂはそれぞれ上・下部取付枠施錠杆２５ａ，２５ｂを作動させるためのものであり、両外曲片４０ａ，４０ｂは上・下部前面枠施錠杆２４ａ，２４ｂを作動させるためのものである。更に、作動杆２６には、上端の内曲片３９ａとその下方の外曲片４０ａ及び下端の外曲片４０ｂとその上方の内曲片３９ｂの間にそれぞれ縦長孔４１ａ，４１ｂが開設され、これら縦長孔４１ａ，４１ｂに両上部ガイドピン３０ａ，３０ｂのうちの下に位置する上部ガイドピン３０ｂと両下部ガイドピン３５ａ，３５ｂのうちの上に位置する下部ガイドピン３５ａがそれぞれ挿通される。これにより、作動杆２６がこれら上部ガイドピン３０ｂと下部ガイドピン３５ａに沿って上下動する。
【００２１】
上部取付枠施錠杆２５ａは、後端縁の上部に後方へ水平に突設され先端に上側を向く鉤状の後向係止片４３が設けられ、上下端部に縦長孔４４ａ，４４ｂが開設されると共に両縦長孔４４ａ，４４ｂにそれぞれ一対の前記上部ガイドピン３０ａ，３０ｂが挿通される。そして、上部取付枠施錠杆２５ａがこれら上部ガイドピン３０ａ，３０ｂに沿って上下動する。また、中央よりの上下位置にバネ通孔４５と掛止孔４６がそれぞれ開設されている。下部取付枠施錠杆２５ｂは、後端縁の下部に後方へ水平に突設され先端に上側を向く後向係止片４７が設けられる。下部取付枠施錠杆２５ｂの上下端部に縦長孔４８ａ，４８ｂが開設されると共に、両縦長孔４８ａ，４８ｂにそれぞれ前記両下部ガイドピン３５ａ，３５ｂが挿通される。これにより、下部取付枠施錠杆２５ｂがこれら下部ガイドピン３５ａ，３５ｂに沿って上下動する。また、下部取付枠施錠杆２５ｂの中央にバネ通孔４９が開設されている。
【００２２】
手操作杆２７は、後端縁の下部に後方へ突設する手動摘み５０が設けられている。また、手操作杆２７の上端部と中央より少し下方位置に連結孔５１ａ，５１ｂが開設される。上の連結孔５１ａに前記作動杆２６における上端の内曲片３９ａが嵌入し、下の連結孔５１ｂに作動杆２６における下の内曲片３９ｂが嵌入して、作動杆２６と共に手操作杆２７が連動するようにしている。手操作杆２７の上下部にもそれぞれ縦長孔５２ａ，５２ｂが開設され、上部の縦長孔５２ａに前記両上部ガイドピン３０ａ，３０ｂのうちの下の上部ガイドピン３０ｂが挿通され、下部の縦長孔５２ｂに前記両下部ガイドピン３５ａ，３５ｂのうちの上の下部ガイドピン３５ａが挿通される。これにより、手操作杆２７が上・下部ガイドピン３０ｂ，３５ａに沿って上下動することになる。
【００２３】
そして、上・下部前面枠施錠杆２４ａ，２４ｂ、作動杆２６、上・下部取付枠施錠杆２５ａ，２５ｂ、手操作杆２７をこの順で外枠カバー２３ｂ側へ重ね合わせ、反対側に内枠カバー２３ａを重ねて互いに挟むようにして一体に組み付ける。この際、上部前面枠施錠杆２４ａにおけるバネ通孔３１の上端と上部取付枠施錠杆２５ａにおけるバネ通孔４５の下端との間に、引っ張りコイルバネ５３が介装される。同様に、下部前面枠施錠杆２４ｂにおけるバネ通孔３７の上端と下部取付枠施錠杆２５ｂにおけるバネ通孔４９の下端との間にも、引っ張りコイルバネ５３が介装される。これにより、上・下部前面枠施錠杆２４ａ，２４ｂは引っ張りコイルバネ５３の弾性力によって常に下方へ付勢され、上・下部取付枠施錠杆２５ａ，２５ｂは常に上方へ付勢されている。また、上・下部前面枠施錠杆２４ａ，２４ｂにおける各前向係止片２８，２８，３３が、鉛直固定枠２３の前面に開設された第１開口５４から前方へ突出している。作動杆２６の係合突起３８も、鉛直固定枠２３の前面に開設された第２開口５５から前方へ突出している。一方、上・下部取付枠施錠杆２５ａ，２５ｂにおける各後向係止片４３，４７は、鉛直固定枠２３の後面に開設された第３開口５６から後方へ突出しており、手操作杆２７における手動摘み５０も鉛直固定枠２３の後面に開設された第４開口５７から後方へ突出している。
【００２４】
更に、作動杆２６における上端縁の内曲片３９ａが上部取付枠施錠杆２５ａにおける掛止孔４６の下端に当接し、下の内曲片３９ｂが下部取付枠施錠杆２５ｂの上端縁に当接するようになっている。これにより、作動杆２６の下動と共に上・下部取付枠施錠杆２５ａ，２５ｂが、引っ張りコイルバネ５３の付勢に抗して下動する。因みに、作動杆２６が上動しても各内曲片３９ａ，３９ｂは前記同じ個所に当接することはないので、上・下部取付枠施錠杆２５ａ，２５ｂが上動することはない。また、作動杆２６における上の外曲片４０ａが上部前面枠施錠杆２４ａにおける掛止孔３２の上端に当接し、下端縁の外曲片４０ｂが下部前面枠施錠杆２４ｂにおける掛止孔３６の上端に当接するようになっている。これにより、作動杆２６の上動と共に上・下部前面枠施錠杆２４ａ，２４ｂが、引っ張りコイルバネ５３の付勢に抗して上動する。因みに、作動杆２６が下動しても各外曲片４０ａ，４０ｂは前記同じ個所に当接することはないので、上・下部前面枠施錠杆２４ａ，２４ｂが下動することはない。手操作杆２７は作動杆２６と連結されているので、手操作杆２７は作動杆２６と同じ動作を行う。
【００２５】
図２、図５に示すように前面枠の施錠装置２２は、前面枠１７の後面の開放側に固着される縦長の鉛直固定プレート５８を備えている。そして、該鉛直固定プレート５８における上部と中央部と下部とに位置させて、それぞれ後方へ突出する平面コ字形の屈曲凸部５９が設けられ、該各屈曲凸部５９の後面に前記上・下部前面枠施錠杆２４ａ，２４ｂの各前向係止片２８，２８，３３が係止し得る係止孔６０が開設されている。また、鉛直固定プレート５８の下部の前側には、シリンダー錠６１が内装される錠箱８３が配置固定される。該錠箱８３については後で説明する。シリンダー錠６１は前端面の鍵穴６２が前面枠１７の前側に露出する錠本体６１ａと該錠本体６１ａの後端部に固着される取付片部６１ｂとからなり、該取付片部６１ｂを前面枠１７の後面にあてがって螺子６３で固着される。更に、シリンダー錠６１の錠軸６４が錠本体６１ａの後方へ突出しており、該錠軸６４の後端に上下の両端部を上・下カム片６５ａ，６５ｂとした略Ｃ形のカム部材６５が固着され、両上・下カム片６５ａ，６５ｂは外側すなわち前面枠１７の外周縁側を向いている。
【００２６】
鉛直固定プレート５８の下部であってシリンダー錠６１の一側外周縁側に、該鉛直固定プレート５８に沿って上下方向に摺動する可動部材６６が配置される。該可動部材６６は平断面がクランク状をなし、前面枠１７の後面と平行な鉛直固定プレート５８の底面に接する上部平板部６７ａに上下方向に長い上部ガイド孔６８が開設され、該上部ガイド孔６８に鉛直固定プレート５８に植設したガイドピン６９が挿通される。また、鉛直固定プレート５８の底面に接する下部平板部６７ｂにも、上下方向に長い第１下部ガイド孔７０が開設される。該下部平板部６７ｂの後面には第１下部ガイド孔７０を覆うようにして補助板７１が重ねられ、該補助板７１にも第１下部ガイド孔７０と連通する第２下部ガイド孔７２が開設される。そして、これら第１・第２下部ガイド孔７０，７２に、鉛直固定プレート５８に植設したガイドピン７３が挿通される。これにより、可動部材６６が上下のガイドピン６９，７３に沿って上下方向に摺動することになる。
【００２７】
補助板７１にあっては、その上端一側に上フック７４が設けられ、これと対応してその下方の鉛直固定プレート５８に下フック７５が設けられ、これら上・下フック７４，７５間に引っ張りコイルバネ７６が張設される。また、補助板７１の他側に上フック７７が設けられ、これと対応してその下方の可動部材６６に下フック７８が設けられ、これら上・下フック７７，７８間にも引っ張りコイルバネ７９が張設される。また、可動部材６６における上・下部平板部６７ａ，６７ｂと直交する起立板部６７ｃに、前記錠軸６４の後端に固着されたカム部材６５の上・下カム片６５ａ，６５ｂと対向位置して該上・下カム片６５ａ，６５ｂがそれぞれ錠軸６４の回動と共に突入し係合し得る上・下係合凹部８０ａ，８０ｂが設けられる。更に、その後方であって可動部材６６における上・下部平板部６７ａ，６７ｂと平行をなす後側板部６７ｄに、連結用切欠部８１が設けられる。該連結用切欠部８１には、前記遊技盤取付枠の施錠装置２１における作動杆２６から前方へ突出した係合突起３８の先端部が挿入される。
【００２８】
図８（イ）（ロ）に示すように、前記錠箱８３は縦長直方体形状をなし、その前後端面８４ａ，８４ｂが共に開放される。錠箱８３の前端面８４ａが前面枠１７の前側に露出している。そして、錠箱８３内に鍵穴６２を前側にして前記シリンダー錠６１すなわち錠本体６１ａが挿通され、該錠本体６１ａが該錠箱８３内を前後方向に摺動することになる。この場合、該錠本体６１ａの外周形状が錠箱８３の内周形状とほぼ同じになっている。錠本体６１ａの下面中央に、前後方向に沿って下方へ突出する突条部８７が設けられる。該突条部８７は錠箱８３の底壁８３ａの中央に前後方向に沿って開設された縦溝８８から下方へ突出しており、その長手方向に沿った両側面にラック歯部８９，８９が形成される。
【００２９】
前記錠箱８３の下方に可逆回転モータ８６が配設される。該可逆回転モータ８６は、その上面から平行に２本の回転軸９９，９９が突設され、各回転軸９９の先端にシリンダー錠６１の錠本体６１ａ下面の突条部８７の両側面に形成されたラック歯部８９，８９に噛合するピニオン歯車１００が取着される。図示は省略するが、前記２本の回転軸９９，９９のうち一方が駆動軸で他方が従動軸となっており、両者間には中間歯車が介在される。そこで、例えば可逆回転モータ８６が正転して錠本体６１ａが前方へ摺動し前端位置で停止したときは、図６実線に示すように鍵穴６２が前側に露出しており、また、シリンダー錠６１の錠軸６４後端部に設けられたカム部材６５の上・下カム片６５ａ，６５ｂがそれぞれ可動部材６６の上・下係合凹部８０ａ，８０ｂに対向位置している。よって、この状態で錠軸６４を回動させれば、そのカム部材６５の上カム片６５ａ又は下カム片６５ｂが上係合凹部８０ａ又は下係合凹部８０ｂに係合して可動部材６６が上・下動することになる。一方、可逆回転モータ８６が逆転して図６鎖線に示すように錠本体６１ａが後方へ摺動し後端位置に停止したときは、鍵穴６２が錠箱８３の内側に入ると共にシリンダー錠６１の錠軸６４後端部に設けられたカム部材６５の上・下カム片６５ａ，６５ｂが、それぞれ可動部材６６の上・下係合凹部８０ａ，８０ｂとは前後方向で外れ係合し得ないようになっている。よって、この状態で錠軸６４を回動させそのカム部材６５を回動させても、可動部材６６が上・下動することはない。
【００３０】
シリンダー錠６１の錠本体６１ａが錠箱８３の前端位置に停止しているとき、パチンコ遊技機Ｐの前側からシリンダー錠６１の鍵穴６２に鍵８２を差し込み、図７に示すように該鍵穴６２を正面から見て時計回り方向イに鍵８２を回動させると、錠軸６４後端のカム部材６５が同方向へ回動し、該カム部材６５の上カム片６５ａが可動部材６６における上係合凹部８０ａに係合して該可動部材６６を下動させる。これにより、連結用切欠部８１に挿入された係合突起３８と共に遊技盤取付枠の施錠装置２１における作動杆２６が引っ張りコイルバネ５３の付勢に抗して下動する。該作動杆２６が下動すると、機枠１の各掛止片１５から後向係止片４３，４７が外れて該機枠１に対し前面枠１７と共に遊技盤取付枠２が開錠される。また、図７に示すように前記鍵８２をその鍵穴６２を正面から見て反時計回り方向ロに回動させると、錠軸６４後端のカム部材６５が同方向へ回動し該カム部材６５の下カム片６５ｂが可動部材６６における下係合凹部８０ｂに係合して該可動部材６６を上動させる。これにより、連結用切欠部８１に挿入された係合突起３８と共に遊技盤取付枠の施錠装置２１における作動杆２６が引っ張りコイルバネ５３の付勢に抗して上動する。該作動杆２６が上動すると、上・下係合凹部８０ａ，８０ｂから前向係止片２８，２８，３３が外れて遊技盤取付枠２に対して前面枠１７が開錠される。
【００３１】
前面枠１７を前側へ撓ませて行なわれる不正行為を防止するため、図５に示すように前面枠１７後面の下部中央に撓み防止板９３が配置される。該撓み防止板９３は、支軸９４によりほぼ中央部で前面枠１７に軸着され、該前面枠１７の後面に沿って自在に回動するようになっている。そして、常には鉛直方向に対して傾斜しており、上端部に切欠凹部９５が設けられる。また、撓み防止板９３の下端部と前面枠１７の後面との間に引っ張りコイルバネ９６が張設され、撓み防止板９３の下端部側を常に下方へ付勢するようにしている。下端部側が下方へ付勢され停止している状態では、上端部の切欠凹部９５が上昇して遊技盤取付枠２の下部前面に一体に設けた金属製の係留杆９７に係合する。すなわち、該係留杆９７の下面には凹溝９７ａが設けられ、撓み防止部材９３の切欠凹部９５が凹溝９７ａに係合することになる。
【００３２】
前記撓み防止板９３における下端部の上端縁にプッシュプルワイヤ９８の一端が接続される。該プッシュプルワイヤ９８の他端は前記下動部材６６に接続されている。そこで、可動部材６６の上動と共にプッシュプルワイヤ９８が可動部材６６側へ引かれると、撓み防止板９３の下端部側が前記引っ張りコイルバネ９６の付勢に抗して上方へ回動し、係留杆９７の凹溝９７ａから撓み防止板９３の切欠凹部９５が外れることになる。よって、前面枠１７が閉じられた状態では、撓み防止板９３における上端部の切欠凹部９５が遊技盤取付枠２の下部前面に突設された係留杆９７の凹溝９７ａに係合しており、この状態では、前面枠１７の前側への撓みが防止されるので、これによる不正が防止される。一方、パチンコホールの従業員が鍵８２をシリンダー錠６１に差し込み反時計回り方向へ回動させ前面枠１７を正常に開放するときは、図５鎖線に示すように可動部材６６の上動動作と共にプッシュプルワイヤ９８を介して撓み防止板９３の下端部が上方へ回動し、係留杆９７の凹溝９７ａと切欠凹部９５との係合が外れる。このようにして、前面枠１７の開放動作を支障なく行なえるようにしている。
【００３３】
本発明に係るパチンコ遊技機Ｐは上記構成からなり、次に作用を説明する。まず、パチンコ遊技機Ｐがパチンコホールに設置されている常態では、機枠１の開放側の側板１ａの内側面に設けられた掛止片１５に遊技盤取付枠の施錠装置２１における後向係止片４３，４７が係合し、遊技盤取付枠２が機枠１に施錠される。また、遊技盤取付枠の施錠装置２１における前向係止片２８，２８，３３が前面枠の施錠装置２２における鉛直固定プレート５８の係止孔６０に係合して、前面枠１７が遊技盤取付枠２に施錠されている。そして、可逆回転モータ８６はパチンコホールの中央コンピュータからの出力により作動（この場合は、モータが逆転する。）し、図６鎖線、図９（イ）（ロ）に示すように鍵箱８３におけるシリンダー錠６１の錠本体６１ａが後端位置にある。この状態では、シリンダー錠６１における錠軸６４の後端部のカム部材６５が、可動部材６６における上・下係合凹部８０ａ，８０ｂと前後方向で外れている。このため、錠軸６４を回動させカム部材６５により可動部材６６を上下動させて前面枠１７または遊技盤取付枠２を開放させようとしても不可能である。また、鍵穴６２に鍵８２を差し込み引っ掛けたままシリンダー錠６１を前端位置へ引き出そうとしても、可逆回転モータ８６が消磁して回転することはないので、シリンダー錠６１の錠本体６１ａが摺動することもない。よって、遊技盤取付枠２及び前面枠１７はいずれも正常な状態で開放できない。
【００３４】
これに対し、例えばパチンコ遊技機Ｐで球詰まりが生じ、パチンコホールの従業員がその状態を解消すべく前面枠１７を開放するときは、ホールコンピュータからの出力により前記可逆回転モータ８６が作動（この場合は、モータが正転する。）する。これにより、各ピニオン１００が回転してシリンダー錠６１の錠本体６１ａが前方へ摺動して前端位置で停止する。図６実線、図８（イ）（ロ）に示すようにシリンダー錠６１が前端位置に停止した状態では、錠軸６４後端部のカム部材６５における上・下カム片６５ａ，６５ｂが共に可動部材６６における上・下係合凹部８０ａ，８０ｂと対向位置する。すなわち、カム部材６５が回動することにより、上・下カム片６５ａ，６５ｂが上・下係合凹部８０ａ，８０ｂに係合することになる。そこで、従業員は該鍵穴６２に鍵８２を差し込み、図７に示すように該鍵穴６２を前側から見て反時計方向ロに回動させる。これにより、錠軸６４後端のカム部材６５が同じく反時計方向へ回動し、前面枠の施錠装置２２における可動部材６６が上動する。同時に、遊技盤取付枠の施錠装置２１における作動杆２６が引っ張りコイルバネ５３の付勢に抗して上動する。更に、作動杆２６の上下部に設けられた外当板４０ａ，４０ｂが、それぞれ上・下部前面枠施錠杆２４ａ，２４ｂを引っ張りコイルバネ５３の付勢に抗して上動させる。そして、上・下部前面枠施錠杆２４ａ，２４ｂの前向係止片２８，２８，３３が上昇して鉛直固定プレート５８の係止孔６０との係合が外れ、前面枠１７を開放することができるようになる。
【００３５】
逆に、開放された前面枠１７を閉じる場合は、前面枠１７を遊技盤取付枠２側へ押し付ける。これにより、前記前向係止片２８，２８，３３がそれぞれ各係止孔６０に上側から自動的に係合し、前面枠１７が遊技盤取付枠２に施錠され閉じることになる。また、ホールコンピュータから出力して可逆回転モータ８６を作動（この場合は、モータが逆転する。）する。これにより、シリンダー錠６１の錠本体６１ａが後端位置に摺動する。なお、図示は省略するが、ホールコンピュータからの出力を受けるまでもなく、例えば可逆回転モータ８６の駆動軸９９にクラッチを設け、ホールの係員が該クラッチを外して錠本体６１ａを自由にし、指で該錠本体６１ａを後端位置に押し込むことができるようにしても良い。押し込んだ後は再び前記クラッチが噛み合うことになる。
【００３６】
このように本発明は、シリンダー錠６１の錠本体６１ａが鍵箱８３の後端位置にあるときカム部材６５と可動部材６６との係合が前後方向で外れており、シリンダー錠６１の錠本体６１ａが前端位置にあるときは、カム部材６５と可動部材６６とが係合するようになっている。よって、前面枠１７を閉めた状態で錠本体６１ａを後端位置に後退させて停止しておけば、たとえシリンダー錠６１の鍵穴６２に正規の鍵８２を模した合鍵を差し込んで前面枠１７を開けようとしても、錠軸６４のカム部材６５は空転するのみで前面枠１７を開錠させて開放することは不可能となる。これにより、正規の鍵８２を模した合鍵による不正行為が未然に防止される。
【００３７】
図１０、図１１はシリンダー錠の他の実施の形態を示すもので、図１０（イ）（ロ）は閉塞板を用いた前端位置にあるシリンダー錠部位の前側・後側から見た斜視図、図１１（イ）（ロ）は同後端位置にあるシリンダー錠部位の前側・後側から見た斜視図である。これらは、本実施の形態と構成が似ているので、同一部位は同一番号を附すことにより詳しい説明は省略する。この実施の形態にあっては、シリンダー錠６１の錠本体６１ａの前面であってその上部の一側隅角部に、支軸９０により軸着され鍵穴６２を覆うための閉塞板９１が配置される。該閉塞板９１は正面略扇形状をなし、図１０（イ）（ロ）に示すようにシリンダー錠６１が前方へ摺動してその前面が錠箱８３の前端面と合致した前端位置で停止したときは、閉塞板９１が支軸９０を中心としてシリンダー錠６１の前面に沿って自在に回動するようになっており、指先で閉塞板９１を回動させることによって鍵穴６２を開けることができる。また、図１１（イ）（ロ）に示すようにシリンダー錠６１が後方へ摺動してその前面が錠箱８３内に入った後端位置で停止したときは、閉塞板９１の両側端面が錠箱８３の天壁９２ａ内面と一側壁９２ｂ内面とによりその回動動作が規制され、これにより鍵穴６２が塞がれるようになる。このように、錠箱８３の後端位置にあるシリンダー錠６１の鍵穴６２を閉塞板９１で開放不能に塞ぐようにすれば、鍵穴６２にすら合鍵を差し入れることができなくなるので、該合鍵による不正行為の防止効果が更に向上する。
【００３８】
図１２、図１３もシリンダー錠の他の実施の形態を示すもので、図１２（イ）（ロ）は他の閉塞板を用いた後端位置にあるシリンダー錠部位の前側・後側から見た斜視図、（ハ）は図１２（イ）における側面断面図、図１３（イ）（ロ）は同前端位置にあるシリンダー錠部位の前側・後側から見た斜視図である。これらも、本実施の形態と構成が似ているので、同一部位は同一番号を附すことにより詳しい説明は省略する。この実施の形態にあっては、鍵箱８３における前端に、起立したとき錠箱８３の前面を覆う閉塞板１０２が設けられる。該閉塞板１０２は下端部の両側に支軸１０１，１０１が水平に突設され、両側壁９２ｂ，９２ｃに回動自在に支持される支軸１０１，１０１を中心として前後方向へ自在に回動し得るようになっている。該閉塞板１０２を閉めたときの自由端面であるその上端面には、その長手方向に沿って断面Ｖ型の係合溝１０３が凹設される。これに対し、錠箱８３における閉塞板１０２の自由端側である天壁９２ａには、前後方向に沿ってかつ前端が天壁９２ａの前端に達する平行な二本のスリット（図示せず。）が開設され、両スリットで挟まれる部分に後端部を中心として前端が上下に撓む弾性係止片１０５が設けられる。該弾性係止片１０５には、その下面の自由な前端部に前記閉塞板１０２の上端面に設けられた係合溝１０３に嵌る断面山形の係合凸部１０６が設けられる。また、該係合凸部１０６よりも後端部寄りであって所定位置に、該係合凸部１０６よりも高さの低い断面山形の作動凸部１０７が設けられる。作動凸部１０７における弾性係止片１０５の前端からの距離やその高さ寸法は、シリンダー錠６１が前方へ摺動するのに伴いその上面が作動凸部１０７を上方へ押したとき、閉塞板１０２の係合溝１０３から弾性係止片１０５の係合凸部１０６が抜け出て係合が外れる範囲で設定される。
【００３９】
そこで、図１２（イ）（ロ）に示すようにシリンダー錠６１の錠本体６１ａが鍵箱８３の後端位置に停止しているとき、カム部材６５と可動部材６６との係合は前後方向で外れており、しかも、係合溝１０３に弾性係止片の係合凸部１０６が嵌入し、かつ閉塞板１０２が回動不能であって錠箱８３の前端面を覆っている。よって、たとえシリンダー錠６１の鍵穴６２に正規の鍵８２を模した合鍵を差し込んで前面枠１７を開けようとしても、錠箱８３の前面が閉塞板１０２により塞がれるので、鍵穴６２にすら前記合鍵を差し入れることができず、該合鍵による不正行為の防止効果が更に向上する。
【００４０】
また、例えば正規に前面枠１７を開放する場合、可逆回転モータ８６が駆動してシリンダー錠６１が前端位置に摺動するとき、図１２（ハ）に示すように該シリンダー錠６１の上面が作動凸部１０７を上方へ押し弾性係止片１０５を後端部を中心としてその弾性に抗して上方へ撓ませ、係合溝１０３から係合凸部１０６が抜ける。よって、シリンダー錠６１が前端位置に停止したときには、すでに閉塞板１０２が自由に回動できる状態になっており、該閉塞板１０２を回動させ鍵穴６２を開いて該鍵穴６２に鍵８２が差し込めることになる。
【００４１】
図１４乃至図１６もシリンダー錠の他の実施の形態を示すもので、図１４（イ）（ロ）は他の閉塞板を用いた後端位置にあるシリンダー錠部位の前側・後側から見た斜視図、図１５は図１４（イ）の一部拡大平面斜視図、図１６（イ）（ロ）は同前端位置にあるシリンダー錠部位の前側・後側から見た斜視図である。これらも、本実施の形態と構成が似ているので、同一部位は同一番号を附すことにより詳しい説明は省略する。この実施の形態にあっては、閉塞板１０８がシリンダー錠６１の前端位置への摺動と共に自動的にスライドして鍵穴６２が開くようにしたものである。すなわち、シリンダー錠６１の錠本体６１ａ上面に前後方向に沿ってラック歯部１０９が形成される。これに対し、錠箱８３の天壁９２ａに透孔１１０が開設されると共に該透孔１１０内に前後方向と直交する後部支軸１１１が回転自在に横架され、該後部支軸１１１の一側に前記ラック歯部１０９と噛合するピニオン歯車１１２が固着される。また、該後部支軸１１１の他側に第一従動プーリ１１３が固着される。一方、天壁９２ａの上面前端にその前端に沿って複数の軸受部１１４が突設され、該各軸受部１１４に支持されて後部支軸１１１と平行な前部支軸１１５が回転自在に設けられる。そして、該前部支軸１１５の一側に第二従動歯車１１６が固着され、他側に第二従動プーリ１１７が固着されている。前記第一従動プーリ１１３と第二従動プーリ１１７との間には無端状ベルト１１８が巻回され、第一従動プーリ１１３から第二従動プーリ１１７へ動力が伝達されるようになっている。シリンダー錠６１の錠本体６１ａの前端には、その両側に上下方向に延びかつ解放面が互いに内側を向く摺動溝１１９が設けられ、該摺動溝１１９，１１９にシリンダー錠６１前面の鍵穴６２を覆う閉塞板１０８が入り込んでいる。これにより、閉塞板１０８は摺動溝１１９に沿って上下動する。閉塞板１０８の後面に、前記第二従動歯車１１６と対応位置しかつ上下方向に沿って第二従動歯車１１６が噛合するラック歯部１２０が形成されている。
【００４２】
そこで、図１４（イ）（ロ）に示すようにシリンダー錠６１が鍵箱８３の後端位置に停止しているとき、カム部材６５と可動部材６６との係合が前後方向で外れており、しかも、閉塞板１０８は下動してシリンダー錠６１の鍵穴６２を覆っている。よって、この状態では、たとえシリンダー錠６１の鍵穴６２に正規の鍵８２を模した合鍵を差し込んで前面枠１７を開けようとしても、鍵穴６２にすら前記合鍵を差し入れることができなくなるので、該合鍵による不正行為の防止効果が更に向上する。
【００４３】
また、正規に前面枠１７を開放する場合には、図１６（イ）（ロ）に示すように可逆回転モータ８６が駆動してシリンダー錠６１が前端位置に摺動するとき、その摺動動作と共にラック歯部１０９が移動し、これに伴いピニオン歯車１１２、第一従動プーリ１１３、第二従動プーリ１１７、第二駆動歯車１１６が回転して動力が伝達され、最終的に閉塞板１０８が自動的に上動して鍵穴６２を開ける。これにより、該鍵穴６２に鍵８２が差し込めることになる。
【００４４】
本発明にあっては、シリンダー錠６１を前面枠１７側に設けた説明をしたが、他にシリンダー錠６１を遊技盤取付枠２側に設けても本発明は十分に達成できることは勿論である。
【符号の説明】
【００４５】
１              機枠
２              遊技盤取付枠
１７            前面枠
６１            シリンダー錠
６２            鍵穴
６４            錠軸
６５            カム部材
６６            可動部材
８６            電気的駆動手段（可逆回転モータ）
９１            閉塞板
１０２          閉塞板
Ｐ              遊技機（パチンコ遊技機）
【図１】
2010227301.tif 000003
【図２】
2010227301.tif 000004
【図３】
2010227301.tif 000005
【図４】
2010227301.tif 000006
【図５】
2010227301.tif 000007
【図６】
2010227301.tif 000008
【図７】
2010227301.tif 000009
【図８】
2010227301.tif 000010
【図９】
2010227301.tif 000011
【図１０】
2010227301.tif 000012
【図１１】
2010227301.tif 000013
【図１２】
2010227301.tif 000014
【図１３】
2010227301.tif 000015
【図１４】
2010227301.tif 000016
【図１５】
2010227301.tif 000017
【図１６】
2010227301.tif 000018